(57)【特許請求の範囲】
【請求項１】
媒体を収納する収納部と、
前記収納部に収納された媒体を繰出す繰出ローラと、
前記繰出ローラの、媒体の繰出方向の下流側に設けられ、媒体を１枚毎に分離する隙間を有するゲート口と、
前記収納部に収納された媒体を、前記繰出ローラに押圧する押圧部材と、
前記押圧部材の前記繰出ローラ側に設けられた突出部と、
前記押圧部材の、前記繰出ローラに対向する位置に設けられ、前記繰出ローラの方向に付勢された押出部と、を備え、
前記突出部を、前記繰出ローラと前記ゲート口との間に配置し、
前記押出部の先端を、前記突出部の先端より前記押圧部材側に停止させるストッパを設けたことを特徴とする媒体繰出装置。
【請求項２】
媒体を収納する収納部と、
前記収納部に収納された媒体を繰出す繰出ローラと、
前記繰出ローラの、媒体の繰出方向の下流側に設けられ、媒体を１枚毎に分離する隙間を有するゲート口と、
前記収納部に収納された媒体を、前記繰出ローラに押圧する押圧部材と、
前記押圧部材の前記繰出ローラ側に設けられた突出部と、
前記押圧部材の、前記繰出ローラに対向する位置に設けられ、前記繰出ローラの方向に付勢された押出部と、を備え、
前記突出部を、前記繰出ローラと前記ゲート口との間に配置し、
前記押出部の付勢力を、前記押圧部材の押圧力より弱くしたことを特徴とする媒体繰出装置。
【請求項３】
媒体を収納する収納部と、
外周面が前記収納部の収納空間内に出入可能に設けられ、前記収納空間に収納された媒体を繰出す繰出ローラと、
前記繰出ローラの、媒体の繰出方向の下流側に設けられ、媒体を１枚毎に分離する隙間を有するゲート口と、
媒体の繰出時に媒体の繰出方向の先端部を案内する、前記収納部の前記繰出ローラ側の側板の内面である案内面と、
前記案内面に対向する、前記繰出ローラ側の面である対向面を有し、前記収納空間に収納された媒体を、前記繰出ローラに押圧する押圧部材と、
前記押圧部材の前記対向面に設けられた突出部と、を備え、
前記突出部を、前記繰出ローラと前記ゲート口との間に配置し、
前記突出部の前記対向面からの突出高さを、前記繰出ローラの回転時における前記収納空間内への最大突出量より高くしたことを特徴とする媒体繰出装置。
【請求項４】
請求項３に記載の媒体繰出装置において、
前記繰出ローラは、偏心した状態で設けられた繰出ローラ軸を中心に回転することを特徴とする媒体繰出装置。
【請求項５】
請求項１ないし請求項４のいずれか一項に記載の媒体繰出装置において、
前記媒体は、カード状媒体であることを特徴とする媒体繰出装置。
【発明の詳細な説明】
【技術分野】
【０００１】
本発明は、金融機関や、交通機関等で用いられるＩＣカード等の媒体を収納し、収納した媒体を１枚毎に繰出す媒体繰出装置に関する。
【背景技術】
【０００２】
従来の媒体繰出装置は、収納された通帳を繰出ローラに押圧するプレス板に、繰出ローラに対向配置された突出部を設け、その突出部を押圧スプリングで繰出ローラの方向に押圧し、繰出ローラを回転させて狭い隙間で形成された分離部から繰出している（例えば、特許文献１参照。）。
【先行技術文献】
【特許文献】
【０００３】
【特許文献１】特開平９−２７８１９４号公報  （段落０００８、００１２、第３図）
【発明の概要】
【発明が解決しようとする課題】
【０００４】
しかしながら、上述した従来の技術においては、押圧スプリングの突出部への取付端が、突出部を介して繰出ローラと対向しているため、繰出す媒体に摺動負荷がかかると、媒体が、押圧スプリングの取付端を支点として回転運動を起こしてしまい、狭い隙間で形成されたゲート口に衝突して、媒体の繰出ができない場合があるという問題がある。
本発明は、上記の問題点を解決するためになされたもので、収納されている媒体を、ゲート口に衝突させることなく繰出す手段を提供することを目的とする。
【課題を解決するための手段】
【０００５】
本発明は、上記課題を解決するために、媒体繰出装置が、媒体を収納する収納部と、前記収納部に収納された媒体を繰出す繰出ローラと、前記繰出ローラの、媒体の繰出方向の下流側に設けられ、媒体を１枚毎に分離する隙間を有するゲート口と、前記収納部に収納された媒体を、前記繰出ローラに押圧する押圧部材と、前記押圧部材の前記繰出ローラ側に設けられた突出部と、前記押圧部材の、前記繰出ローラに対向する位置に設けられ、前記繰出ローラの方向に付勢された押出部と、を備え、前記突出部を、前記繰出ローラと前記ゲート口との間に配置し、前記押出部の先端を、前記突出部の先端より前記押圧部材側に停止させるストッパを設けたことを特徴とする。
【発明の効果】
【０００６】
これにより、本発明は、媒体をゲート口に衝突させることなくゲート口から繰出すことができるという効果が得られる。
【図面の簡単な説明】
【０００７】
【図１】実施例１の収納部を示す説明図
【図２】実施例１のゲート口を示す説明図
【図３】実施例１の収納部へのカードの収納状態を示す説明図
【図４】実施例１のカード繰出時の作用を示す説明図
【図５】実施例２の収納部を示す説明図
【図６】実施例２のカード繰出時の作用を示す説明図
【発明を実施するための形態】
【０００８】
以下に、図面を参照して本発明による媒体繰出装置の実施例について説明する。
【実施例１】
【０００９】
以下に、図１ないし図４を用いて本実施例のカード発行装置について説明する。
本実施例の媒体繰出装置としてのカード発行装置１は、媒体としての、金融機関で用いられるキャシュカード、鉄道業や旅客運送業等の交通機関で用いられる定期券や乗車カード等の、ＩＣチップや磁気ストライプが埋込まれた、突起部分がなく柔軟性の少ないカード状の媒体（以下、カードＣという。）を発行する装置であって、図１に示す構成を備えている。
【００１０】
収納部２は、カード発行装置１に着脱可能に搭載され、６つの側板２ａ〜２ｆで形成された横型の筐体を備えており、エンボスの形成や、ＩＣチップや磁気ストライプへの情報の書込み前の複数のカードＣを、収納空間３に厚さ方向を水平にして立位で収納する（図３参照）。
繰出ローラ５は、外周面をゴム等の摩擦係数の大きい摩擦部材５ａで被覆されたローラであって、側板２ａに形成された開口部６に設けられ、偏心した状態で取付られた繰出ローラ軸５ｂを中心に回転し、外周面が開口部６から収納空間３内に出入可能に構成されている（図１に示す２点鎖線参照）。
【００１１】
押圧部材としてのプレス板７は、筺体の側板２ａに対向配置された板状部材であって、押圧スプリング８の押圧力によって、筺体の内面に案内されながら、立位で収納されたカードＣを繰出ローラ５の方向に移動させ、繰出ローラ５に押圧する。
また、プレス板７は、図示しない摺動ガイド部材により垂直姿勢を保持しながら移動する。
【００１２】
押圧スプリング８は、長尺の引張コイルスプリング等からなるバネ部材であって、繰出ローラ５側に回転可能に設けられたプーリ８ａを介して、一端をプレス板７に設けられた取付端９ａに、他端を筐体の側板２ｅに設けられた取付端９ｂに取付けられており、プレス板７を繰出ローラ５の方向に押付ける。
本実施例のプレス板７の繰出ローラ５側の面には、繰出ローラ５に向かって突出する突出部１１が設けられている。
【００１３】
この突出部１１は、繰出ローラ５のカードＣの繰出方向（以下単に、繰出方向という。）の下流側で、ゲート口１２の上流側、つまり繰出ローラ５とゲート口１２との間に配置され、その突出高さは、繰出ローラ５の回転時における収納空間３内への最大突出量より高くなるように形成されている。
また、押圧スプリング８のプレス板７への取付端９ａは、突出部１１の近傍に設けられている。
【００１４】
ゲート口１２は、繰出ローラ５の繰出方向の下流側に設けられ、ゲート板１２ａの取付位置の調整によって、図２に示す隙間Ｇ、つまりゲート板１２ａの側板２ａ側の端面と、筺体の側板２ａの内面との間の隙間が、カードＣの１枚の厚さを超え、２枚の厚さ以下に形成されている。
また、本実施例の繰出ローラ５は、カードＣに接触している繰出ローラ５が、図１に示す矢印Ｂ方向（繰出回転方向という。）に１回転したときに、当該カードＣが、ゲート口１２を通過した後に、図示しない搬送ローラに受渡すことが可能な位置に配置されている。
【００１５】
上記の構成の作用について説明する。
収納部２に複数のカードＣを装填してカード発行装置１に装着し、プレス板７の図示しないロック機構を解除すると、図３に示すように、プレス板７が押圧スプリング８に引っ張られ、立位で収納されている最も繰出ローラ５側のカードＣ（最上位のカードＣという。）が、外周面が最上位のカードＣから最も離間した位置で停止している繰出ローラ５に押付けられる。
そして、カード発行装置１の図示しない制御部から繰出信号が出力されると、繰出ローラ５が繰出回転方向に１回転して最上位のカードＣをゲート口１２から繰出す。
【００１６】
このとき、本実施例の繰出ローラ５は偏心させた状態で繰出ローラ軸５ｂに取付けられているので、繰出ローラ５の回転に伴って、その外周面が開口部６から収納空間３内に出っ張りながら最上位のカードＣの表面上を摺動し、その摩擦力によってカードＣをピックアップしてゲート口１２へ送り出す。
また、本実施例のゲート口１２の隙間Ｇは、カードＣの１枚の厚さを超え、２枚の厚さ以下に形成されているので、次位のカードＣが最上位のカードＣに連出されたとしても、次位のカードＣがゲート板１２ａの端部に衝突して最上位のカードＣが１枚に分離され、カードＣの繰出時における重送が防止される。
【００１７】
更に、本実施例のプレス板７には、繰出ローラ５とゲート口１２との間に配置された突出部１１が設けられ、その近傍に押圧スプリング８のプレス板７への取付端９ａが設けられているので、図４に示すように、繰出ローラ５の回転に伴って、繰出されるカードＣの繰出方向の先端が突出部１１を支点としてゲート口１２の方向に回動し、ゲート口１２を形成する側板２ａの内面を摺動しながらゲート口１２へ導かれるため、ゲート口１２の隙間Ｇ内に入り込み、衝突することなく収納部２外に繰出される。
【００１８】
更に、本実施例の突出部１１は、突出高さが、繰出ローラ５の回転時における収納空間３内への最大突出量より高くなるように形成されているので、収納空間３に収納限界に近い多数のカードＣが収納されている場合であっても、カードＣの繰出時における繰出ローラ５の最大突出時に、最下位のカードＣの、ゲート口１２の反対側の端部がプレス板７に突き当たることはなく、最上位のカードＣを適正な繰出角度に傾かせることができる。
【００１９】
以上説明したように、本実施例では、プレス板７は、カードＣの全体を押圧せずに、突出部１１を、繰出ローラ５とゲート口１２との間に配置して繰出されるカードＣの先端をゲート口１２の方向に回動させるようにしたことによって、カードＣの先端を、ゲート口１２を形成する側板２ａの内面を摺動させながらゲート口１２の隙間Ｇ内に入り込ませることができ、カードＣをゲート口１２に衝突させることなくゲート口１２から繰出すことができる。
【実施例２】
【００２０】
以下に、図５および図６を用いて本実施例のカード発行装置について説明する。なお上記実施例１と同様の部分は、同一の符号を付してその説明を省略する。
本実施例のプレス板７には、図５に示すように、突出部１１に加えて、繰出ローラ５と対向する位置に、カードＣを繰出ローラ５の方向に押出す押出部２１が設けられている。
この押出部２１は、プレス板７の繰出ローラ５側の面から出没可能に設けられた押出板２２、押出板２２を繰出ローラ５の方向に付勢する圧縮コイルスプリング等の付勢部材２３等により構成される。
【００２１】
押出板２２は、押出部２１のケース２１ａの内面に沿って移動する、鍔部２２ａが設けられた円盤状部材であって、カードＣの装填前には、プレス板７に形成された係止部２５に、付勢部材２３の付勢力によって当接し、その先端は、突出部１１の先端より僅かにプレス板７側となる位置、つまり突出部１１よりも突出しない位置に停止している（図６参照）。
【００２２】
本実施例のストッパは、押出板２２の鍔部２２ａと、プレス板７の係止部２５により構成される。
また、付勢部材２３の付勢力は、プレス板７のストロークの全域に亘って、押圧スプリング８の押圧力より弱くなるように設定される。
【００２３】
上記の構成の作用について説明する。
収納部２に複数のカードＣを装填してカード発行装置１に装着し、プレス板７の図示しないロック機構を解除すると、図５に示すように、プレス板７が押圧スプリング８に引っ張られ、立位で収納されている最上位のカードＣが、外周面が最上位のカードＣから最も離間した位置で停止している繰出ローラ５に押付けられる。
【００２４】
このとき、本実施例の押出部２１の付勢部材２３の付勢力は、プレス板７の押圧スプリング８の押圧力より弱く設定されているので、突出部１１に押圧された最下位のカードＣに押されて、押出板２２がケース２１ａ内に没する方向に移動する。
そして、カード発行装置１の図示しない制御部から繰出信号が出力されると、繰出ローラ５が繰出回転方向に１回転して最上位のカードＣをゲート口１２から繰出し、この繰出動作を継続してプレス板７上に収納されているカードＣが少なくなると、図６に示すように、押出板２２が付勢部材２３の付勢力によって繰出ローラ５の方向に押出され、繰出ローラ５にカードＣを押付ける。
【００２５】
この状態で、カードＣを繰出すために、繰出ローラ５を１回転させると、繰出ローラ５の回転に伴って、その外周面が開口部６から収納空間３内に出っ張り、繰出ローラ５の押付力によって押出板２２がケース２１ａ内に没する方向に移動し、繰出されるカードＣの繰出方向の先端が突出部１１を支点としてゲート口１２の方向に回動し、ゲート口１２を形成する側板２ａの内面を摺動しながらゲート口１２へ導かれ、ゲート口１２の隙間Ｇ内に入り込む。
【００２６】
カード発行装置１の収納部２においては、プレス板７上に収納されているカードＣが極少なくなった場合に、繰出ローラ５の回転開始時に、カードＣが繰出ローラ５に接触していないために、カードＣの送り出し量が不足して搬送ローラに受渡すことができない場合があるが、本実施例では、突出部１１の突出高さを、繰出ローラ５の回転時における収納空間３内への最大突出量より高くなるように形成すると共に、繰出ローラ５に対向する位置に突出部１１よりも突出しないようにした押出板２２を有する押出部２１を設け、その押出板２２によりカードＣを繰出ローラ５に押付けるようにしたので、上記実施例１と同様の効果に加えて、繰出ローラ５の回転開始時からカードＣを確実に送り出すことができると共に、最上位のカードＣを適正な繰出角度に傾かせることができ、プレス板７上に収納されているカードＣが極少なくなった場合であっても、カードＣをゲート口１２に衝突させることなくゲート口１２から繰出すことができる。
【００２７】
なお、上記各実施例においては、プレス板７は、図示しない摺動ガイド部材により垂直姿勢を保持しながら移動するよう構成されているとして説明したが、押圧スプリング８をプレス板７の側板２ｆ側にも設けるようにしてもよい。この場合に、側板２ｆ側に設ける押圧スプリング８は、側板２ｅ側と同様の構成で勝手違いに設けるようにする。
【００２８】
また、上記各実施例においては、カードＣを立位で収納する横型の収納部２を有するカード発行装置１を例に説明したが、カードＣを斜めに収納する収納部２を有するカード発行装置１や、カードＣを厚さ方向に積層して収納する縦型の収納部２を有するカード発行装置１に適用しても、上記と同様の効果を得ることができる。
【符号の説明】
【００２９】
１    カード発行装置
２    収納部
２ａ〜２ｆ  側板
３    収納空間
５    繰出ローラ
５ａ  摩擦部材
５ｂ  繰出ローラ軸
６    開口部
７    プレス板
８    押圧スプリング
８ａ  プーリ
９ａ、９ｂ  取付端
１１  突出部
１２  ゲート口
１２ａ  ゲート板
２１  押出部
２１ａ  ケース
２２  押出板
２２ａ  鍔部
２３  付勢部材
２５  係止部
【図１】
0006565616.tif 000002
【図２】
0006565616.tif 000003
【図３】
0006565616.tif 000004
【図４】
0006565616.tif 000005
【図５】
0006565616.tif 000006
【図６】
0006565616.tif 000007